(57)【要約】【課題】防爆区域への光と調和空気を有効適切に搬送する装置を提供する【解決手段】防爆区域７と非防爆区域８とを有する建築物において、非防爆区域８に設置した照明光供給部及び調和空気供給部と、前記防爆区域７と非防爆区域８との間に設けられ、前記照明光供給部からの光及び前記調和空気供給部からの調和空気を前記防爆区域に導くダクト１０とを備える。【選択図】図１
2019211172.tif 000002
【特許請求の範囲】
【請求項１】
防爆区域と非防爆区域とを有する建築物において、
非防爆区域に設置した照明光供給部及び調和空気供給部と、
前記防爆区域と非防爆区域との間に設けられ、前記照明光供給部からの光及び前記調和空気供給部からの調和空気を前記防爆区域に導くダクトとを備えてなることを特徴とする防爆区域への光・調和空気搬送装置。
【請求項２】
前記非防爆区域に対して前記防爆区域内を負圧にする排気装置と、
前記排気装置の駆動の有無を検出するセンサーと、
該センサーが前記排気装置の駆動停止を検出したときに前記照明光供給部の電源を遮断する第１の制御部を備えてなることを特徴とする請求項１に記載の防爆区域への光・調和空気搬送装置。
【請求項３】
前記ダクト内に配置され、該ダクト内の塵埃類を除去する自走可能な清掃ロボットと、
前記ダクトに連設され、前記ロボットを待機させるロボット基地と、
前記ロボットへの充電装置と、を備えてなることを特徴とする請求項１又は２に記載の防爆区域への光・調和空気搬送装置。
【請求項４】
前記照明光供給部は、電力により発光する照明器具と、太陽光を採光してこの光を供給する太陽光供給部とを備え、
前記ダクトへの前記照明器具と前記太陽光供給部との光供給量を制御する第２の制御部を備えてなることを特徴とする請求項１から３のいずれか１項に記載の防爆区域への光・調和空気搬送装置。
【請求項５】
前記非防爆区域内に位置する前記ダクトの開口端部が光透過板により密閉され、該開口端部に対向させて前記光透過板を通して前記ダクト内に光を照射するように前記照明光供給部が配置されていることを特徴とする請求項１から４のいずれか１項に記載の防爆区域への光・調和空気搬送装置。
【請求項６】
前記ダクトは、上板部、下板部、及び左右の側板部を備えて断面矩形状に形成されると共にその内部は鏡面仕上げされ、
前記防爆区域内に位置する前記ダクトの前記側板部には、供給された調和空気を防爆区域に排出する空気排出部が設けられ、
該空気排出部は、前記ダクトに形成された開口部に、該ダクトの終端方向に対して仰角をなすように複数の羽根を間隔を空けて設けた構成とされ、該複数の羽根のダクト内面側は鏡面仕上げされていること特徴とする請求項１から５のいずれか１項に記載の防爆区域への光・調和空気搬送装置。
【発明の詳細な説明】
【技術分野】
【０００１】
この発明は、防爆区域への光・調和空気搬送装置に関する。
【背景技術】
【０００２】
防爆区域、すなわち可燃物や爆発物等の引火性のある危険物の貯蔵庫等に照明装置、空調装置を設ける場合には、これら装置について防爆仕様のものを設ける必要があり、装置のコストがかさむばかりでなく、選択できる装置が限られるために設計の自由度が低いという問題がある。
【０００３】
従来、例えば防爆区域へ照明を行う手段として、特許文献１に示されたように、複数個のランプなどの人工光源より成る光源手段と、この光源手段の前方に配置される平板プリズム等より成る光方向制御手段とを配置し、光方向制御手段を透過した光を導光ダクトまたは光ファイバ等の導光手段を介して照明場所に搬送するようにしたものが提案されている。
【０００４】
また、特許文献２においては、空気と光とを搬送する照明兼用換気ダクトが提案されている。
【先行技術文献】
【特許文献】
【０００５】
【特許文献１】特開平７−２３９４１７号公報
【特許文献２】特許第４９９５４８６号公報
【発明の概要】
【発明が解決しようとする課題】
【０００６】
しかしながら、上記特許文献１の構成では、平板プリズムを用いるものであって、あくまで光のみを搬送することを目的とするものであり、空気の搬送を全く考慮していない。
また、特許文献２に記載のものは、通常の建物内において光と空気を搬送するものであり、防爆区域に適用するものではなく、何等防爆対策を講じたものではない。
本発明は、上記の事情に鑑みてなされたもので、防爆区域への光と調和空気を有効適切に搬送する装置を提供することを課題とする。
【課題を解決するための手段】
【０００７】
本発明は、防爆区域と非防爆区域とを有する建築物において、非防爆区域に設置した照明光供給部及び調和空気供給部と、前記防爆区域と非防爆区域との間に設けられ、前記照明光供給部からの光及び前記調和空気供給部からの調和空気を前記防爆区域に導くダクトとを備えてなることを特徴とする。
本発明によれば、照明光供給部からの光と調和空気供給部からの調和空気がダクトを通して防爆区域に供給され、防爆区域内に照明器具、空調装置を設置することなく照明、空調を行うことができる。
【０００８】
本発明の一態様では、前記非防爆区域に対して前記防爆区域内を負圧にする排気装置と、前記排気装置の駆動の有無を検出するセンサーと、該センサーが前記排気装置の駆動停止を検出したときに前記照明光供給部の電源を遮断する第１の制御部を備えてなることを特徴とする。
この一態様において、排気装置の駆動停止に連動させて照明光供給部の電源を遮断することにより、照明光供給部への可燃性ガスを含む空気の到達を防ぐことができる。
【０００９】
また、本発明の一態様では、前記ダクト内に配置され、該ダクト内の塵埃類を除去する自走可能な清掃ロボットと、前記ダクトに連設され、前記ロボットを待機させるロボット基地と、前記ロボットへの充電装置と、を備えてなることを特徴とする。
この一態様によれば、前記ダクト内に自走可能な清掃ロボットを配置したので、該清掃ロボットにより、ダクト内の塵埃類を除去することができ、防爆区域内へ供給する光について光量の低下を抑えることができる。
【００１０】
また本発明の一態様では、前記照明光供給部は、電力により発光する照明器具と、太陽光を採光してこの光を供給する太陽光供給部とを備え、前記ダクトへの前記照明器具と前記太陽光供給部との光供給量を制御する第２の制御部を備えてなることを特徴とする。
この位置様態においては、太陽光の採光量に応じて照明器具の光量を制御することができ、省エネ化を図ることができる。
【００１１】
また本発明の一態様では、前記非防爆区域内に位置する前記ダクトの開口端部が光透過板により密閉され、該開口端部に対向させて前記光透過板を通して前記ダクト内に光を照射するように前記照明光供給部が配置されていることを特徴とする。
この一態様においては、前記透明版により可燃性ガスを含む空気が照明光供給部へ到達するのをより確実に防止することができる。
【００１２】
また本発明の一態様では、前記ダクトは、上板部、下板部、及び左右の側板部を備えて断面矩形状に形成されると共にその内部は鏡面仕上げされ、前記防爆区域内に位置する前記ダクトの前記側板部には、供給された調和空気を防爆区域に排出する空気排出部が設けられ、該空気排出部は、前記ダクトに形成された開口部に、該ダクトの終端方向に対して仰角をなすように複数の羽根を間隔を空けて設けた構成とされ、該複数の羽根のダクト内面側は鏡面仕上げされていること特徴とする。
この一態様においては、ダクト内を進行する光の漏洩を防止したうえで、調和空気を良好に防爆区域内へ供給することができる。
【発明の効果】
【００１３】
本発明によれば、防爆区域に照明器具、空調装置を設置することなく、防爆区域内の照明、空調を行うことができる。
【図面の簡単な説明】
【００１４】
【図１】本発明の第１の実施形態である光・調和空気搬送装置を備えた建築物の概略構成を示す縦断面図である。
【図２】図１に示す防火ダンパー部分の拡大縦断面図である。
【図３】図１に示すロボット基地部分の拡大平断面図である。
【図４】図３に示す清掃ロボットを示す図であって、（ａ）は平面図、（ｂ）は側面図である。
【図５】図１に示すダクトの断面形状を示す図である。
【図６】図１に示す空気排出部の平断面図である。
【図７】図１に示す第１の実施形態の変形例を示す図であって、光放出部の縦断面図である。
【図８】図１に示す第１の実施形態の別の変形例を示す図であって、照明光供給部及び空気排出部の縦断面図である。
【図９】本発明の第２の実施形態である光・調和空気搬送装置を備えた建築物の概略構成を示す縦断面図である。
【図１０】（ａ）は図９に示す太陽光供給部の平断面図であり、（ｂ）は図１０（ａ）のＡ−Ａ’線で視た縦断面図である。
【発明を実施するための形態】
【００１５】
以下、本発明の実施の形態について説明する。
【００１６】
（第１の実施形態）
図１は、本発明の第１の実施形態を示す図であって、本発明による防爆区域への光・調和空気搬送装置を備えた建築物の概略構成を示す断面図である。
【００１７】
図１に示す建築物１は、工場、事業場などに供されるものであって、スラブ２、３、内壁４により空間５が形成され、空間５が内壁６によって、空間７、８に仕切られている。
空間７は例えば可燃物、爆発物等の引火の恐れのある危険物を貯蔵する空間であり、防爆区域を構成している。
空間８は、防爆対策不要の空間であり、非防爆区域を構成している。
【００１８】
内壁６の上部には、開口部９が形成されており、この開口部９にはダクト１０が挿入されている。
ダクト１０は、空間７、８間に亘って水平方向に延在するように設置されており、長さ方向の複数箇所が図示しない保持部材により建築物１側に支持されている。
この実施形態においては、ダクト１０が、空間７、８間に亘って水平方向に延在するように説明するが、これに限定されず、防爆区域（空間７）と非防爆区域（空間８）を亘るいかなる形態も本願発明に含まれる。
【００１９】
このダクト１０は、不燃性の基材による筒状体で、内側に光反射層を設けたものであり、上板部１０ａ、下板部１０ｂ及び左右の側板部１０ｃ、１０ｃからなっている。さらに、粉塵の堆積抑制のためには、反射層への導電性付与が望ましい。
【００２０】
このダクト１０は、所定の長さを有する筒状体を複数連結したものである。ダクト１０の具体例としては、例えば内面に高反射材を内貼りした鉄板を断面矩形の筒状体に形成し、筒状体の端部に外方へ張り出すフランジを設けて、各筒状体をフランジ部分で連結する構造を挙げることができ、一般的なビルの空調設備に用いるダクトの内面を高反射処理等して転用することができる。
【００２１】
ダクト１０は、その内部が光・調和空気の通路となるため、上記のように内面に高反射材を内貼り処理することにより鏡面仕上げとし、光の反射率を高めることにより光を効率よく進行させることができ、かつまた反射材が導電性であれば帯電防止効果も得られるので塵埃類の付着を防止して光の反射率の低下を抑えることができる。
【００２２】
ダクト１０が開口部９を貫通する部分は防火ダンパー２１を構成しており、空間７、又は８で火災が発生したときに、空間７、８間での炎、煙を含む空気が遮断されるようになっている。
【００２３】
図２は、防火ダンパー２１の拡大縦断面図である。防火ダンパー２１の枠体２２はダクト１０の一部を構成しており、上板部２２ａ、下板部２２ｂ及び左右の側板部２２ｃ、２２ｃからなっている。上板部２２ａ、下板部２２ｂ及び左右の側板部２２ｃの内面は高反射仕上げ例えば白色塗装となっている。枠体２２の外面と内壁６との間は、開口部９内に充填される不燃材例えばモルタル６ａにより密閉構造とされている。
【００２４】
枠体２２内には回転軸２３に固定された羽根２４が配置されている。回転軸２３は枠体２２の左右の側板部２２ｃ、２２ｃに回転自在に支持されており、羽根２４は矢印方向に回転自在である。羽根２４は、図示しないバネ等により矢印Ｐ１方向へ回転習性を与えられており、常時は図示しないロック機構により実線で示す位置におかれている。なお、羽根２４は、矢印Ｐ１方向に回転したときに、枠体２２の上板部２２ａに設けられたストッパ２５に当接し、枠体２２内の光・調和空気の通路２６を遮断するようになっている。
【００２５】
図１に示す空間７は、排気装置２７により大気中及び空間８に対して常に負圧に保たれるようになっている。
【００２６】
排気装置２７は、排気管２８とファン２９とを備えている。排気管２８は、端部が空間７内に開口し、内壁４の内面に沿って配置された配管２８ａと、この配管２８ａの上端から内壁４の上部を貫通し、更にスラブを貫通して建築物１の外部へ引き出された配管２８ｂとからなっている。ファン２９は、図示しない支持体により建築物１の外側に支持されており、排気管２８を介して空間７内の空気を外部へ排気し、空間７内を負圧に保つ。
【００２７】
ファン２９の起動停止は、制御装置３０の第１の制御部３０ａにより制御されるようになっており、制御装置３０の第１の制御部３０ａは、定常時においてファン２９を駆動状態とし、ファン２９が故障などにより停止したときに、これをセンサー３０ｓにより検出して後述する照明光供給部の電源を遮断するようになっている。
【００２８】
図１に示すように、空間８内におけるダクト１０の開口端部３１には光透過板３２が設けられている。光透過板３２は、開口端部３１を密閉しており、ダクト１０内において空間７側から可燃性ガスを含む空気が空間８側へ流れても、この空気が開口端部３１から空間８内へ放出されないようになっている。光透過板３２は、不燃性材料からなる透明な板体であり、帯電防止処理が施されたものである。
【００２９】
開口端部３１の近傍には、開口端部３１に対向させて、光透過板３２を通してダクト１０内に光を照射する照明光供給部を構成する照明器具３３が配置されている。照明器具３３は、光源として、例えばＬＥＤ等の赤外線や紫外線の発生が抑えられたものが使用され、かつダクト１０内により多くの光が照射され、ダクト１０内に入った光がダクト内面で反射される際に、反射位置がより遠くなるように配光を狭角としたものが用いられている。
【００３０】
この照明器具３３は、前記ファン２９が停止して空間７内の負圧状態が崩れたときに、これを、センサー３０ｓが検出して制御装置３０の第１の制御部３０ａにより電源が遮断されるようになっている。
【００３１】
空間８内におけるダクト１０の上面あるいは側面には、搬送空気導入口３４が形成されており、空間８内の空気がダクト１０内に導入できるようになっている。搬送空気導入口３４にはフィルタ３５が設けられており、ダクト１０内への塵埃類の進入を防止する構造となっている。
【００３２】
また、空間８内におけるダクト１０には、図３に示す清掃ロボット３６を待機させるロボット基地３７が設けられている。図３は、ロボット基地３７の拡大平断面図であって、この図に示すようにロボット基地３７は、ダクト１０の下板部１０ｂ、側板部１０ｃ、１０ｃに連設されたものであり、ダクト１０の下板部１０ｂと同一平面上に位置する床板部３７ａ、ダクト１０の側板部１０ｃに連設された側壁部３７ｂ、３７ｃ、３７ｄ、ダクト１０の側板部１０ｃに連設された図示しない天板部を備えている。床板部３７ａ、側壁部３７ｂ〜３７ｄ及び天板部は、その内部に清掃ロボットを３６待機させる室を形成しており、ダクト１０内に開口する開口部４０には扉４１が設けられている。側板部３７ｃには清掃ロボット３６に対して充電を行う充電装置３８の接続器３９が設けられている。扉４１は、清掃ロボット３６の清掃開始、清掃終了動作に連動して図示しない駆動機構によって上下方向（左右方向に移動させるように構成してもよい。）に移動し、開口部４０を開閉する。扉４１のダクト１０内面側は、ダクト１０の内面と同様に鏡面仕上げとなっている。
なお、このロボット基地３７は、清掃ロボット３６の保守、点検、整備、その他図４（ｂ）に示すクロス４４（詳細は後述する）の交換などのために、適宜壁部を開放して清掃ロボット３６の出し入れができるようになっている。
【００３３】
清掃ロボット３６は、拭き機能を有する清掃ロボットである。
この清掃ロボット３６は、図４（ａ）（ｂ）に示すように、走行車輪４２を有する車体部４３に拭き掃除用のクロス４４、図示しない走行駆動用の二次電池、方向探知センサー、タイマー、制御装置などを搭載したもので、自走機能を有し、図３に示す扉４１の開閉機構を駆動した、定期的にダクト１０内を清掃する機能を有する。
クロス４４は、クリーニングパッド４５に巻き付けた状態で車体部４３に着脱可能である。
この清掃ロボット３６は、タイマーによって定期的にダクト１０内を清掃する一方、清掃を終えた後はロボット基地３７に戻って充電装置３８により充電を行う。
【００３４】
清掃ロボット３６は、上記のように自走してダクト１０内を清掃するものであるが、この清掃ロボット３６がダクト１０内でよりスムーズに移動できるようにするには、ダクト１０の断面形状を、例えば図５に示すように逆台形とし、下板部１０ｂと側板部１０ｃとの角度θ１を９５°〜１０５°の鈍角とすることが好ましい。ダクト１０をこのように構成することにより、清掃ロボット３６の車体部４３が側板部１０ｃに接触することを回避することができ、清掃ロボット３６をよりスムーズに走行させることができる。
また、ダクト１０内の底面は、清掃ロボット３６をスムーズに走行させるために、ダクトの連結部などに凹凸を形成することなく、可及的に平坦面とすることが好ましい。
【００３５】
図１に示す空間７内におけるダクト１０の端部近傍には、空気排出部５０が設けられている。図６は空気排出部５０の拡大平断面図であり、この図に示すように空気排出部５０は、ダクト１０の側板部１０ｃに設けられている。ダクト１０の側板部１０ｃには開口部５１が形成されており、この開口部５１には、ダクト１０の終端方向に対して仰角をなすように羽根５２、５３が設けられている。羽根５２、５３は、それぞれダクト１０の側板部１０ｃからダクト１０の内方へ向けて斜めに進出しており、ダクト１０の内方側先端には側板部１０ｃと平行に位置するように羽根５４、５５が連設されている。
【００３６】
羽根５３と５４の間には間隙５６が形成され羽根５５と側板部１０ｃとの間には間隙５７が形成されている。
羽根５２〜５５は、それぞれダクト１０の内面側が鏡面仕上げとされている。
【００３７】
この空気排出部５０の設けられたダクト１０の内部においては、光はダクト１０の終端方向へ直進する一方、ダクト１０の内面及び羽根５２〜５５の内面に反射してダクト１０の終端方向へ向う。またダクト１０内に供給された調和空気は、間隙５６、５７を通って空間７内に放出される。
【００３８】
空間７内におけるダクト１０の端部には光放出部６１が設けられている。
光放出部６１は、ダクト１０を通過してきた光を下方へ反射させる反射板６４と、開口部６２を塞ぎ下方への光を透過させる光透過板６３とを備えている。
光透過板６３は、不燃性材料からなる透明な板体で、帯電防止処理を施したものである。
この構成の下に、ダクト１０内に導入された光は、ダクト１０端部において反射板６４で下方へ反射して光透過板６３を通過し、空間７内を照射する。
【００３９】
上記のように構成された光・調和空気搬送装置を備えた建築物１においては、通常時制御装置３０の第１の制御部３０ａの指令によりファン２９が運転状態に置かれ、空間８及び大気中に対し空間７内が負圧状態に置かれる。これにより空間８内の空気が搬送空気導入口３４からダクト１０内に導入される。この際フィルタ３５によって塵埃類が除去され、ダクト１０内を矢印７０のように進行し、空気排出部５０から調和空気として空間７内に放出される。この場合、ダクト１０内の空気は、図６に示すようにダクト１０内から羽根５３、５４間の間隙５６、羽根５５、側板部１０ｃ間の間隙５７を通して空間７に放出される。
【００４０】
また、制御装置３０の第１の制御部３０ａによって照明器具３３が点灯し、この光が光透過板３２を通してダクト１０内に照射される。照射された光は矢印７１のように進行して反射板６４で反射して、光透過板６３を通過し、空間７内に照射される。
【００４１】
ダクト１０内を進行する光は矢印７１のように直進すると共に、図６に示すようにダクト１０の内面で反射しながら進行する。この場合、ダクト１０の内面が鏡面仕上げされているので、光の減衰が抑えられ、光が効率よく進行する。
【００４２】
空気排出部５０においては、羽根５２、５３がダクト１０の終端方向に対して仰角をなすように配置されており、かつ羽根５２〜５５のダクト１０の内面側が鏡面仕上げとされているので、この部分においても光が効率よく光放出部６１の方向へ進行する。
【００４３】
図３に示す清掃ロボット３６は、タイマーによって定期的に起動し、ダクト１０の下板部１０ｂ上の塵埃類の清掃を行う。ロボット基地３７に内に位置する清掃ロボット３６が起動すると、この起動に連動して扉４１が開き、開口部４０がダクト１０内へ開口する。掃除ロボット３６は、ダクト１０内を自走し、クロス４４によりダクト１０内の底面に存在する塵埃類を拭き取る。
【００４４】
この場合清掃ロボット３６は、制御装置の指令に従ってダクト１０内の底面を走行し、ダクト１０内の全域に亘って拭き清掃を行う。
また制御装置は、予定の走行距離に必要な電池の消費量と二次電池の充電残量とを比較する等して充電切れの生じないうちにロボット基地３７に戻る。
【００４５】
上記の清掃ロボット３６の動作において、清掃ロボット３６が図２に示す防火ダンパー２１を通過する際には、防火ダンパー２１の羽根２４が実線で示す水平位置にあるので、清掃ロボット３６が羽根２４の下方を通過し、羽根２４が清掃ロボット３６の走行に対して邪魔になることはない。
【００４６】
また図１において、ファン２９が故障などにより停止した場合には、センサー３０ｓがこれを検出し、制御装置３０の第１の制御部３０ａが前記検出結果に基づいて照明器具３３の電源を遮断する。
この実施の形態においては、空間７側においてダクト１０の開口端部３１は光透過板３２で閉塞されている。したがって、空間８側の負圧状態が崩れてダクト１０内に可燃性ガスを含む空気が流入してもこの空気が空間８側に流出することはない。
しかし、ダクト１０の開口端部３１付近は、照明器具３３が高温となっているので、空間７内の負圧状態が崩れた場合には照明器具３３の電源を遮断することが望ましい。
よって、本実施の形態においては、ファン２９が停止した場合、高温化した照明器具３３からの輻射熱による可燃性ガスを含む空気の発火を防ぐことができる。
【００４７】
また、この実施の形態において、空間７または空間８内で火災が発生した場合には、防火ダンパー２１が作動して両空間の空気の流通を遮断し、空間７、８相互間の延焼を防止することができる。
【００４８】
かくして、図１に示す光・調和空気搬送装置によれば、防爆区域である空間７内に照明器具、空調装置を設けることなく、空間７内を照明し、空間７内に調和空気を供給することができる。
【００４９】
図７（ａ）（ｂ）は、上記の第１の実施形態の変形例を示す図であって、第１図に示す光放出部の別の例を示す図である。
【００５０】
図７（ａ）に示す例は、ダクト１０の開口端部６２Ａを塞ぐ光透過板６３と、ダクト１０内から光透過板６３を透過した光を下方へ反射させる反射板６４とを備えている。
この例は、透過板６３で塞がれたダクトの内部空間の外側に、反射板６４を、ダクト１０の上板部１０ａの先端から下方へ傾斜するように配置したものである。この構成により、ダクト１０の下板部１０ｂと開口端部６２を塞ぐ光透過板６３との角度を鈍角にすることができるので、ロボットによるダクト内の清掃を容易にすることができる。
図７（ｂ）に示す例は、ダクト１０の端部に設ける反射板７２を、ダクト１０の上板部１０ａから下方へ傾斜する反射板部７２ａと、反射板部７２ａの下端部から折り返された反射板部７２ｂとで構成し、反射板部７２ｂの下端部をダクト１０の下板部１０ｂの端部との間の開口部に光透過板７３を設置したものである。この構成において、反射板部７２ｂと光透過板７３との間には鈍角である角度θ２（９５°〜１０５°）が形成されている。またダクト１０の下板部１０ｂと光透過版７３の各上面は面一状態にある。なお、光透過板７３は不燃性材料からなる透明な板体であり、帯電防止処理が施されている。
【００５１】
この例において、ダクト１０内の光は反射板７２で反射して下方へ導かれ、光透過板７３を通って空間７内に照射される。この例においては、清掃ロボット３６による清掃時に、清掃ロボット３６が光透過板７３の上面まで移動できるので、光透過板７３の上面の塵埃類も除去することができる。この際、反射板７２の反射板部７２ｂと光透過板７３との間が鈍角とされているので、清掃ロボット３６が光透過板７３上において反射板７２の近傍まで進出でき、光透過板７３の全域を清浄にすることができる。
【００５２】
図８は、上記第１の実施形態の別の変形例を示す図である。図１に示す例では、照明器具３３がダクト１０の外部に設けられているが、図８の例では、照明器具３３がダクト１０の内部に設けられている。この例では、ダクト１０の開口端部に光透過板を設けることなく、照明器具３３をダクト１０内に光を照射するように設けている。照明器具３３の外側は熱伝導率の高い材料からなる放熱板７４により覆われている。放熱板７４は、その外面に放熱部を構成する複数のフィン（図示せず）を備えており、照明器具３３で生じた熱を外部へ拡散させる。
【００５３】
この例では、防爆区域とされた空間７内からダクト１０内に可燃性ガスを含んだ空気が侵入しないように、空気排出部５０の構成をチャッキダンパーのように、空気がダクト１０内から空間７内には流れるが、その逆の流れが生じない構成とすることが望ましい。この例においては、照明器具３３の前方に光透過板を設けていないので、光透過板の光の搬送ロスを防ぐことができる。
この例においても、図１に示すようなファン２９が故障などにより停止したときに、これをセンサー３０ｓにより検出して制御装置３０の第１制御部３０ａにより照明器具３３の電源を遮断する構成を採用する。しかしながら、上記の空気排出部５０の構成を採用した場合は、空間７からダクト１０内へ空気が流れないため、照明器具３３の電源を遮断する構成が不要になる。
【００５４】
（第２の実施形態）
図９、図１０（ａ）、（ｂ）は、この発明の第２の実施形態を示す図である。この実施形態が図１に示す実施形態と異なる点は、ダクト１０へ光を照射する構成として、照明器具３３に加えて太陽光を導入する構成を加えた点であり、照明器具３３の光と太陽光とを切り替えてダクト１０内に導入したり、照明器具３３の光と太陽光とを適切な割合でダクト１０内に導入するようにしたものである。
【００５５】
図９、図１０（ａ）、（ｂ）に示すように、空間８側におけるダクト１０内の端部８０には、ダクト１０内に連通するように光ダクト８１が連接されている。光ダクト８１は、図１０（ｂ）に示すように、ダクト１０の側板部１０ｃに形成した開口部８２に開口しており、側板部１０ｃの開口部８２の周囲からダクト１０の側方に延びる水平部８１ａと、水平部８１ａの先端から上方に立上る垂直部８１ｂとからなっており、垂直部８１ｂの上端は建築物の屋根板８３から上方に突出している。
【００５６】
垂直部８１ｂの上端に形成した開口部８４は、紫外線を吸収し、かつ光ダクト内に雨水、塵埃類が入り込むのを防止するために、紫外線吸収作用を高めたガラス８５により封止されている。光ダクト８１は、ダクト１０と同様にその内面が鏡面仕上げとなっている。
【００５７】
ダクト１０の開口部８２に臨む光ダクト８１の端部には、開口部８２を開閉する扉８６が配置されている。扉８６は光ダクト８１の端部に設けた開口部８７から移動したときに開口部８７を開口し、元の位置へ移動したときに開口部８７を閉塞する。扉８６に外部の塵埃類が付着するのを防止するためにカバー８８が設けられている。
【００５８】
この扉８６は、開口部８７を閉じたときにダクト１０の内方を向く面が鏡面仕上げとなっている。この実施形態では、ダクト１０内に太陽光を導入するため、ガラス８５の他、ダクト１０の内面、光放出部に設ける光透過板等を特に紫外線吸収作用の強いガラスで構成することが望ましい。日中、上記の扉８６を上方に移動させて開口部８７を開放した時には、太陽光が利用可能となる。上記光ダクト８１、扉８６は太陽光供給部を構成しており、この太陽光供給部と照明器具３３とは照明光供給部を構成している。扉８６による開口部８７の開閉動作は、制御装置３０の第２の制御部３０ｂによってされる。第２の制御部３０ｂは、図示しないセンサーにより太陽光の有無、照度の程度等に応じて、ダクト１０内に導入される光を照明器具３３の光から太陽光に切替えたり、また照明器具３３の光と太陽光との割合を制御してダクト１０内へ導入される光の量を調節する。なお、開口部８７を開閉させる扉８６は上方へ移動したときにカバー８８に覆われるので塵埃類をダクト１０内に持ち込むことがない。
【００５９】
この実施の形態によれば、ダクト１０内へ導入する光を照明器具３３の光と太陽光のいずれか一方または双方としたので、省エネ化を図ることができる。
【符号の説明】
【００６０】
１                      建築物
７                      防爆区域
８                      非防爆区域
１０、８１              ダクト
１０ａ、２２ａ          上板部
１０ｂ、２２ｂ          下板部
１０ｃ、２２ｃ、３７ｃ  側板部
２７                    排気装置
３０ａ                  第１の制御部
３０ｂ                  第２の制御部
３０ｓ                  センサー
３１、６２Ａ            開口端部
３２、６３、７３        光透過板
３３                    照明器具
３６                    清掃ロボット
３７                    ロボット基地
３８                    充電装置
５０                    空気排出部
９、４０、５１、６２、８２、８４、８７    開口部
５２〜５５              羽根
【図１】
2019211172.tif 000003
【図２】
2019211172.tif 000004
【図３】
2019211172.tif 000005
【図４】
2019211172.tif 000006
【図５】
2019211172.tif 000007
【図６】
2019211172.tif 000008
【図７】
2019211172.tif 000009
【図８】
2019211172.tif 000010
【図９】
2019211172.tif 000011
【図１０】
2019211172.tif 000012